(57)【特許請求の範囲】
【請求項１】
送信すべき情報に基づく電界を電界伝達媒体に誘起させるとともにこの誘起した電界を検出して情報の送受信を行う携帯端末であって、
充電機から受電する受電コイルと、
前記受電コイルにより充電される２次電池と、
送信すべき情報に基づく電界を伝達する信号電極と、グランド電極と、を有し、
前記受電コイルを挟むように前記信号電極および前記グランド電極が対向して配置され、
前記信号電極および前記グランド電極、または前記信号電極もしくは前記グランド電極には、前記受電コイルが受電するためのスリットが形成されること
を特徴とする携帯端末。
【請求項２】
請求項１記載の携帯端末であって、
前記スリットは、当該スリットが形成された電極の端部まで通じる少なくとも１つの開口部を有すること
を特徴とする携帯端末。
【請求項３】
請求項１または請求項２記載の携帯端末であって、
前記スリットは、前記充電機が発生する磁束を通過させ、前記受電コイルにループ電流を流すこと
を特徴とする携帯端末。
【請求項４】
請求項１から請求項３のいずれか１項に記載の携帯端末であって、
前記スリットは、十字形スリットまたは略円形の穴であって、スリットが形成された電極の端部まで通じる少なくとも１つの開口部を有すること
を特徴とする携帯端末。
【請求項５】
送信すべき情報に基づく電界を電界伝達媒体に誘起させるとともにこの誘起した電界を検出して情報の送受信を行う携帯端末と、当該携帯端末を充電する充電機とを有する充電システムであって、
前記携帯端末は、
充電機から受電する受電コイルと、
前記受電コイルにより充電される２次電池と、
送信すべき情報に基づく電界を伝達する信号電極と、グランド電極と、を有し、
前記受電コイルを挟むように前記信号電極および前記グランド電極が対向して配置され、
前記信号電極および前記グランド電極、または前記信号電極もしくは前記グランド電極には、前記受電コイルが受電するためのスリットが形成され、
前記充電機は、
前記受電コイルに送電する送電コイルを有すること
を特徴とする充電システム。
【請求項６】
請求項５記載の充電システムであって、
前記充電機に接続されたコンピュータを、さらに有し、
前記コンピュータは、
前記充電機に電力を供給する電力供給部と、
前記充電機を介して前記携帯端末から認証情報を受信し、当該認証情報に基づいて認証処理を行う認証部と、を有し、
前記充電機は、送信すべき情報に基づく電界を電界伝達媒体に誘起させるとともにこの誘起した電界を検出して情報の送受信を行い、前記携帯端末と通信すること
を特徴とする充電システム。
【請求項７】
請求項５または請求項６記載の充電システムであって、
前記スリットは、当該スリットが形成された電極の端部まで通じる少なくとも１つの開口部を有すること
を特徴とする充電システム。
【請求項８】
請求項５から請求項７のいずれか１項に記載の充電システムであって、
前記スリットは、前記充電機が発生する磁束を通過させ、前記受電コイルにループ電流を流すこと
を特徴とする充電システム。
【請求項９】
請求項５から請求項８のいずれか１項に記載の充電システムであって、
前記スリットは、十字形スリットまたは略円形の穴であって、スリットが形成された電極の端部まで通じる少なくとも１つの開口部を有すること
を特徴とする充電システム。
【発明の詳細な説明】
【技術分野】
【０００１】
本発明は、送信すべき情報に基づく電界を電界伝達媒体に誘起させるとともにこの誘起した電界を検出して情報の送受信を行う携帯端末および当該携帯端末へ充電する充電システムに関する。
【背景技術】
【０００２】
携帯端末の小型化および高性能化によりウェアラブルコンピュータが注目されているが、図１３はこのようなウェアラブルコンピュータを人間に装着して使用する場合の例を示している。同図に示すように、ウェアラブルコンピュータ７はそれぞれトランシーバ９を介して人間の腕、肩、胴体などに装着されて互いにデータの送受信を行うとともに、更に手足の先端で触れられるよう壁や床に設けられたトランシーバ９ａ、９ｂとケーブルとを介して外部に設けられたパソコン（ＰＣ）８と通信を行っている。
【０００３】
ここで、このようなウェアラブルコンピュータ７間、およびウェアラブルコンピュータ７とパソコン８間とのデータ通信に使用されるトランシーバ９は、電界信号検出技術を利用していて、送信すべき情報に基づく電界を電界伝達媒体である生体に誘起させ、この誘起した電界を用いて情報の送受信を行うものである。なお、トランシーバ９については、特許文献１および特許文献２に記載されている。
【特許文献１】特開２００１−３５２２９８号公報
【特許文献２】特開２００６−０８１１１１号公報
【発明の開示】
【発明が解決しようとする課題】
【０００４】
さて、上記のような小型の携帯端末では、電力として交換式の１次電池を用いている。１次電池の場合、電池が消耗すると新しい電池に交換する必要があるため、携帯端末を密封した構造にして完全防水にすることは困難である。
【０００５】
また、携帯端末の電力に、再充電可能な２次電池を用いることが考えられる。しかしながら、電界通信の通信性能を維持するためには携帯端末の電極面積を大きくする必要があり、そのため携帯端末に搭載される２次電池を充電するための受電コイルが電極で覆われてしまい、十分な充電性能が得られないという問題がある。
【０００６】
本発明は、上記課題を解決するためになされたものであり、本発明の目的は、電界伝達媒体を介して情報の送受信を行う携帯端末において、通信性能を低下させることなく、当該携帯端末に搭載された２次電池への充電を行えるようにすることにある。
【課題を解決するための手段】
【０００７】
上記目的を達成するため、本発明は、送信すべき情報に基づく電界を電界伝達媒体に誘起させるとともにこの誘起した電界を検出して情報の送受信を行う携帯端末であって、充電機から受電する受電コイルと、前記受電コイルにより充電される２次電池と、送信すべき情報に基づく電界を伝達する信号電極と、グランド電極と、を有し、前記受電コイルを挟むように前記信号電極および前記グランド電極が対向して配置され、前記信号電極および前記グランド電極、または前記信号電極もしくは前記グランド電極には、前記受電コイルが受電するためのスリットが形成されている。
【０００８】
また、本発明は、送信すべき情報に基づく電界を電界伝達媒体に誘起させるとともにこの誘起した電界を検出して情報の送受信を行う携帯端末と、当該携帯端末を充電する充電機とを有する充電システムであって、前記携帯端末は、充電機から受電する受電コイルと、前記受電コイルにより充電される２次電池と、送信すべき情報に基づく電界を伝達する信号電極と、グランド電極と、を有し、前記受電コイルを挟むように前記信号電極および前記グランド電極が対向して配置され、前記信号電極および前記グランド電極、または前記信号電極もしくは前記グランド電極には、前記受電コイルが受電するためのスリットが形成され、前記充電機は、前記受電コイルに送電する送電コイルを有する。
【発明の効果】
【０００９】
本発明によれば、電界伝達媒体を介して情報の送受信を行う携帯端末において、通信性能を低下させることなく、当該携帯端末に搭載された２次電池への充電を行うことができる。
【発明を実施するための最良の形態】
【００１０】
以下、本発明の実施形態を、図面を用いて説明する。
【００１１】
図１は、本発明の実施形態である携帯端末の基本構成を示すものである。本実施形態の携帯端末は、送信すべき情報に基づく電界を電界伝達媒体に誘起させるとともにこの誘起した電界を検出して情報の送受信を行う携帯端末であって、再充電が可能な２次電池を有し、非接触型充電を行うものとする。
【００１２】
図示する携帯端末１は、信号電極１１と、グランド電極１２と、コンピュータ１３と、トランシーバ（通信処理回路）１４と、充放電制御回路１５と、２次電池１６と、受電コイル１７とを有する。なお、携帯端末１は非接触型の充電が可能なため、筐体１８は完全密封とすることができ、これにより防水性を向上する（または、完全防水とする）ことができる。これにより、病院や介護施設など水に濡れる可能性がある環境においても、携帯端末１を使用することができる。
【００１３】
コンピュータ１３は、所定の処理を行うとともに、トランシーバ１４を用いて各種情報の送受信を行う。
【００１４】
トランシーバ１４は、電界信号検出技術を利用していて、送信すべき情報に基づく電界を電界伝達媒体に誘起させ、この誘起した電界を用いて情報の送受信を行うものである。
【００１５】
例えば、トランシーバ１４は、図２に示す構成をしており、コンピュータ１３からの送信データを入出力（Ｉ／Ｏ）回路９０１を介して受け取ると、この送信データを送信部９０２を介して信号電極１１に供給し、当該信号電極１１を介して電界伝達媒体に電界を誘起させ、この電界を電界伝達媒体の他の部位に伝達させる。
【００１６】
また、トランシーバ１４は、電界伝達媒体に誘起されて伝達されてくる電界を信号電極１１で検出し、この電界を電界検出部９０５に結合して電気信号に変換する。そして、この電気信号は、信号処理回路９０６で増幅、ノイズ除去などの信号処理を施され、更に波形整形回路９０７で波形整形がなされ、入出力回路９０１を介してコンピュータ１３に出力するようになっている。
【００１７】
なお、携帯端末１のトランシーバは、図３に示す構成のトランシーバであってもよい。
【００１８】
図３に示すトランシーバ１４は、データを送信するための送信部８０２と、データを受信するための受信部８０３と、Ｉ／Ｏ回路９０１とを備える。トランシーバ１４は、コンピュータ１３からの送信データを入出力（Ｉ／Ｏ）回路９０１を介して受け取ると、この送信データを送信部８０２を介して信号電極１１に供給し、当該信号電極１１を介して電界伝達媒体に電界を誘起させ、この電界を電界伝達媒体の他の部位に伝達させる。送信部８０２は、送信データを発振器８０５から出力される搬送波で変調するための変調回路８０４と、搬送波を出力するための発振器８０５とを備える。
【００１９】
また、トランシーバ１４は、電界伝達媒体に誘起されて伝達されてくる電界を信号電極１１で検出し、この電界を受信部８０３で受信データに変換して入出力回路９０１を介してコンピュータ１３に出力する。受信部８０３は、復調信号のＨレベルとＬレベルの反転が起きていないかを判定して補正するための補正回路８０６と、搬送波再生回路８０８で再生された搬送波と受信した信号をもとにデータを再生する復調回路８０７と、受信した信号から搬送波を抽出する搬送波再生回路８０８と、を備える。なお、コンピュータ１３は、送信データとともに送信と受信の動作の切替を指示するための送受切替信号をトランシーバ１４に対して出力するものとする。
【００２０】
信号電極１１は、前述のように、送信すべき情報に基づく電界を伝達する。すなわち、信号電極１１は、トランシーバ１４から供給された送信データの電界を電界伝達媒体に誘起させるとともに、電界伝達媒体に誘起された電界を検出する。
【００２１】
グランド電極１２は、トランシーバ１４の基準電位となる位置に接続されている。トランシーバ１４の基準電位としては、例えば、シグナルグラウンドの他、マイナス電源、プラス電源などを用いることができる。
【００２２】
信号電極１１およびグランド電極１２は、電極面積を削減すると電界通信の通信性能が劣化してしまう。そのため、所定の通信性能に必要な電極面積を、携帯端末１内でそれぞれ確保する必要がある。
【００２３】
充放電制御回路１５は、２次電池１６および受電コイル１７を制御し、過充電などを防止する。
【００２４】
受電コイル１７では、後述する充電機の送電コイルで発生する磁束が貫通し、電磁誘導により電流が流れ、これにより２次電池１６に充電する。本実施形態では、金属接点を介さずに非接触で電力伝送する方式として、電磁誘導方式を用いるものとする。
【００２５】
次に、電磁誘導方式の非接触充電について説明する。
【００２６】
図４（ａ）は、非接触充電の原理を示したものである。図示するように、充電機の送電コイルに電流を流すと磁束が発生し、ファラデーの法則に従い、貫通（鎖交）する磁束により受電コイルに電磁誘導によるループ電流が流れる。
【００２７】
本実施形態の受電コイル１７は携帯端末１（図１参照）に搭載され、受電コイル１７と充電機の送電コイルとの間には、信号電極１１またはグランド電極１２が存在する。すなわち、本実施形態では、信号電極１１またはグランド電極１２を介して非接触充電を行うこととなる。
【００２８】
そのため、本実施形態では、信号電極１１またはグランド電極１２に、磁束（磁界）を通過させ、受電コイル１７にループ電流を流すためのスリット（細長い隙間）を形成する。スリットを設けることにより、受電コイル１７にループ電流を流して充電性能を向上するとともに、所定の通信性能を確保するために必要な電極１１、１２の電極面積を維持することができる。
【００２９】
図５は、グランド電極１２にスリットを形成した場合の携帯端末１を示したものである。この場合、グランド電極１２を下にした状態で、携帯端末１を充電機（送電コイル）の上に載せて、充電を行うものとする。すなわち、携帯端末１のグランド電極１２側を充電機に接触（対向）させて充電する。
【００３０】
図５（ａ）は、携帯端末１の構造を示す断面図であって、図１と同様であるため、ここでは説明を省略する。なお、図５（ａ）に示す電子基板１３、１４、１５は、図１のコンピュータ１３、トランシーバ１４および充放電制御回路１５に相当する。
【００３１】
図５（ｂ）は、携帯端末１のグランド電極１２側（図５（ａ）では底面）から見た底面図である。図５（ｃ）は、図５（ｂ）のＡ−Ａ’部に対応した携帯端末１の断面図である。図示するグランド電極１２は、十字形のスリット１９が形成され、送電コイルからの磁束が通過できるようになっている。また、本実施形態のスリット１９は、少なくとも１つの開口部２が設けられている。すなわち、グランド電極１２の端までスリットが設けられている。図示するスリット１９では、十字に延びた４つの先端部のうちの１つの先端部２（図５（ｂ）では右先端部）が開口している。スリット１９に開口部２を設けるのは、充電機の送電コイルで発生する磁束によるループ電流が、グランド電極１２に流れないようにするためである。
【００３２】
図４（ｂ）は、電極とループ電流との関係を説明するための説明図である。開口部がないスリット（すなわち、電極の端までスリットが設けられていない場合）が形成された電極４０１、４０２の場合、当該電極自体が符号４０３に示すように閉回路（コイル状）となってしまい、受電コイルではなく電極にループ電流が流れてしまう。そのため、電極でエネルギーが消費されてしまい、受電コイルへの伝送電力効率が低下してしまう。
【００３３】
一方、少なくとも１つの開口部を有するスリット（すなわち、電極の端までスリットが設けられている場合）が形成された電極４０４、４０５の場合、当該電極自体が符号４０６に示すように閉回路（コイル状）とならず、ループ（パス）が形成されないため、電極にループ電流が流れない。そのため、電極でのエネルギー消費が抑えられて、伝送電力効率を向上させることができる。以上により、電極に形成されたスリットは、少なくとも１つの開口部を有するものとする。
【００３４】
なお、図５は、グランド電極１２にスリット１９を設けた場合の携帯端末を示したものであるが、グランド電極１２ではなく信号電極１１に同様のスリット１９を設けることとしてもよい。この場合、信号電極１１を下にした状態で、携帯端末１を充電機に載せて充電するものとする。また、２次電池１６は、グランド電極１２側に配置することとする。
【００３５】
図６は、グランド電極１２および信号電極１１の両方にスリットを形成した場合の携帯端末１を示したものである。この場合、グランド電極１２側からでも、信号電極１１側からでも、充電を行うことができる。すなわち、グランド電極１２を下にした状態でも、あるいは信号電極１１を下にした状態でも、携帯端末１を充電機に載せて充電することができる。
【００３６】
図６（ａ）は、携帯端末１の構造を示す断面図であって、図１と同様であるため、ここでは説明を省略する。なお、図６（ａ）に示す電子基板１３、１４、１５は、図１のコンピュータ１３、トランシーバ１４および充放電制御回路１５に相当する。また、グランド電極１２側および信号電極１１側の両側から充電を可能とするため、２次電池１６は、受電コイル１７と横並びに配置されている。
【００３７】
図６（ｂ）は、携帯端末１のグランド電極１２側（図６（ａ）では底面）から見た底面図、および、携帯端末１の信号電極１１側（図６（ａ）では上面）から見た上面図である。図６（ｃ）は、図６（ｂ）のＡ−Ａ’部に対応した携帯端末１の断面図である。図示するグランド電極１２および信号電極１１は、図５で説明したように十字形のスリット１９が形成され、当該スリット１９は少なくとも１つの開口部２が設けられている。
【００３８】
なお、グランド電極１２および信号電極１１、またはグランド電極１２もしくは信号電極１１に形成するスリットは、少なくとも１つの開口部２が設けられていれば、図５および図６に示す形状に限定されず、様々な形状が考えられる。
【００３９】
図７および図８は、電極１１、１２に形成されるスリットの例を示すものである。図７（ａ）は図５および図６と同様の十字形スリットを示し、図７（ｂ）は４つの開口部を有する放射形スリットを示す。図８（ｃ）は、十字形スリットにおいて４つの開口部を有し、電極１１、１２が複数に分割された分割形スリットを示す。分割された各電極１１、１２は、リード線８により接続されるものとする。図８（ｄ）は、櫛型のスリットが電極１１、１２の各辺に形成された櫛型スリットを示す。
【００４０】
次に、携帯端末１に充電する充電機について説明する。
【００４１】
図９は、充電機３の基本構造を示したものである。図９（ａ）は、充電機３の構造を示す断面図である。図示する充電機３は、筐体３８の中に、信号電極３１と、グランド電極３２と、電子基板３３と、送電（給電）コイル１７とを有する。電子基板３３には、携帯端末１のトランシーバ１４（図２、図３参照）と同様のトランシーバ、給電制御回路、パソコン（Personal Computer）などのコンピュータとの接続処理部などが含まれている。信号電極３１およびグランド電極３２は、携帯端末１の信号電極１１およびグランド電極１２と同様であるため、ここでは説明を省略する。
【００４２】
送電コイル３７には、所定の電源から電力供給されることによりループ電流が流れ、磁束が発生し、電磁誘導により携帯端末１の受電コイル１７に誘導起電力を発生させる。本実施形態の充電機３はＵＳＢ（Universal Serial Bus）などによりパソコンに接続し、パソコンから電力供給されるものとする。
【００４３】
充電機３は、図示するようにグランド電極３２を下にして机の上などに置き、信号電極３１側に携帯端末１を載せることとする。そのため、送電コイル３７で発生する磁束を携帯端末１の受電コイル１７に貫通（鎖交）させ、受電コイル１７に電磁誘導によるループ電流を流させるために、信号電極３１にスリット３９を設けることとする。
【００４４】
図９（ｂ）は、充電機３の信号電極１１側（図９（ａ）では上面）から見た上面図である。図９（ｃ）は、図９（ｂ）のＡ−Ａ’部に対応した充電機３の断面図である。図示する信号電極３１は、十字形のスリット３９が形成され、送電コイル３７からの磁束が通過できるようになっている。また、図示するスリット３９は、図４（ｂ）で説明したように、信号電極３１にループ電流が流れないようにするために、少なくとも１つの開口部２を有する。なお、信号電極３１のスリット３９は、図９の形状に限定されず、例えば図７または図８のような形状であってもよい。
【００４５】
図１０は、充電機３に携帯端末１を載せて、携帯端末１に充電するとともに、充電機３を介して携帯端末１とパソコン５とが通信する充電システムの概略構成図である。図示する充電システムは、前述の携帯端末１および充電機３と、パソコン５とを有する。
【００４６】
図９で説明したように、充電機３の信号電極３１（携帯端末１が載せられる側）にはスリット３９が設けられている。また、携帯端末１も、少なくとも充電機３に接する側（充電機３に対向する側）の信号電極１１またはグランド電極１２にはスリット１９が設けられている。これにより、充電機３から携帯端末１に給電される。
【００４７】
また、本実施形態の充電機３は、トランシーバを有するため携帯端末１と電界通信が可能であり、パソコン５とはＵＳＢ接続による通信が可能である。また、充電機３は、パソコン５とＵＳＢ接続することにより、パソコン５から電源供給されるものとする。
【００４８】
また、充電機３に接続されたパソコン５は、図示しないが、充電機３に電力を供給する電力供給部と、充電機３を介して携帯端末１から認証情報を受信し、当該認証情報に基づいて認証処理を行う認証部と、各種の処理を行う処理部とを有する。
【００４９】
したがって、携帯端末１を充電機３の上に置くことにより、充電機３はパソコン５から供給される電力により携帯端末１に充電（給電）し、携帯端末１とパソコン５は充電機３を介した通信が可能となる。これにより、例えば、携帯端末１を用いてパソコン５へのログイン認証処理を行うことが考えられる。
【００５０】
図１１は、携帯端末１を用いたログイン認証処理のシーケンス図である。
【００５１】
最初は、パソコン５はログアウト状態であり（Ｓ１０）、充電機３の上には携帯端末１が置かれていないものとする。パソコン５の認証部（以下、「パソコン５」）は、所定のタイミングで充電機３に接続確認要求を送信する（Ｓ１１）。充電機３は、ＵＳＢを介してパソコン５から接続確認要求を受信すると、電界通信により携帯端末１へ接続確認要求を送信する（Ｓ１２）。しかし、携帯端末１と充電機３とは接触していないため、電界通信の通信路が確立されず、接続確認要求は携帯端末１に届かず、無応答となる。
【００５２】
そして、ユーザが携帯端末１を充電機３に載せると、充電機３から携帯端末１への充電が開始される（Ｓ１３）。なお、充電機３の電力は、パソコン５の電力供給部から供給される。また、パソコン５からの接続確認要求が充電機３に送信され（Ｓ１４）、充電機３は電界通信により携帯端末１へ接続確認要求を送信する（Ｓ１５）。この場合、携帯端末１と充電機３とは接触しているため、電界通信の通信路が確立され、携帯端末１は接続確認要求を受信し、接続確認応答としてユーザＩＤ、パスワードなどの認証情報を受信機に送信する（Ｓ１６）。なお、携帯端末１と充電機３は、それぞれが備えるトランシーバ（図２、３参照）との間で電界伝達媒体を介した通信路が確立され、電界通信により情報の送受信を行う。認証情報は、携帯端末１のメモリなどに記憶されているものとする。
【００５３】
充電機３は、携帯端末１から受信した認証情報をパソコン５に送信する（Ｓ１７）。パソコン５は、受信した認証情報が、正当なユーザ（携帯端末１）の認証情報か否かを判別・認証し、正当な場合はログイン処理を行い（Ｓ１８）、不正な場合はログインを拒否する。これにより、携帯端末１を所有する正当なユーザは、パソコン５を使用することができる。
【００５４】
また、所定のタイミングでパソコン５からの接続確認要求が充電機３に送信され（Ｓ１９）、充電機３は携帯端末１へ接続確認要求を送信し（Ｓ２０）、携帯端末１は充電機３を介してパソコン５に接続確認応答を送信する（Ｓ２１、Ｓ２２）。
【００５５】
ここで、ユーザが携帯端末１を充電機３から取り上げると、充電機３からの充電が停止する（Ｓ２３）。また、携帯端末１と充電機３とが接触しなくなるので、電界通信の通信路がなくなり、携帯端末１と充電機３との電界通信が行われなくなる。その後、パソコン５からの接続確認要求は充電機３に送信されるが（Ｓ２４）、充電機３は接続確認要求を携帯端末１に送信することができない（Ｓ２５）。パソコン５は、所定の時間内に接続確認応答を受信できないためタイムアウトと判別し（Ｓ２６）、ログアウト処理を行う（Ｓ２７）。
【００５６】
以上説明した本実施形態の携帯端末は、非接触型の充電が可能なため、携帯端末の筐体を完全密封にすることができ、これにより防水性を向上させ、あるいは、完全防水とすることができる。これにより、病院や介護施設など水に濡れる可能性がある環境においても、携帯端末を使用することができる。
【００５７】
また、本実施形態の携帯端末では、信号電極およびグランド電極、または信号電極もしくはグランド電極に、スリットを形成する。スリットを設けることにより、送電コイルが発生する磁束を通過させ、受電コイルにループ電流を流して充電性能を向上するとともに、所定の通信性能を確保するために必要な電極面積を維持することができる。
【００５８】
また、本実施形態のスリットは、少なくとも１つの開口部を有する。これにより、充電機の送電コイルで発生する磁束によるループ電流が、信号電極またはグランド電極に流れず、受電コイルに流れるようになり、充電性能を向上させることができる。
【００５９】
また、本実施形態の充電機においても、少なくとも１つの開口部を有するスリットを信号電極に形成する。これにより、充電性能をより向上させることができる。
【００６０】
以上、本発明の実施形態について説明してきたが、本発明の要旨を逸脱しない範囲において、本発明の実施形態に対して種々の変形や変更を施すことができる。例えば、上記実施形態では、充電機の電源としてパソコンを用いることとしたが、充電機はＡＣアダプタを有し、ＡＣ電源から電力を供給することとしてもよい。すなわち、図１２に示すように、充電機３はＡＣ電源（コンセント）に接続することにより、ＡＣ電源から当該充電機３の駆動に必要な電力が供給される。充電機３とパソコン５とはＬＡＮにより接続され、携帯端末１とパソコン５とは充電機３を介して通信が可能となる。
【図面の簡単な説明】
【００６１】
【図１】本発明の実施形態の携帯端末の基本構成図である。
【図２】トランシーバの概略構成図である。
【図３】トランシーバの概略構成図である。
【図４】非接触充電の原理を説明するための説明図である。
【図５】携帯端末の構成図、底面図および断面図である。
【図６】携帯端末の構成図、底面図・上面図および断面図である。
【図７】電極に設けられたスリットの形状の変形例である。
【図８】電極に設けられたスリットの形状の変形例である。
【図９】充電機の構成図、上面図および断面図である。
【図１０】充電システムの概略構成図である。
【図１１】ログイン認証処理のシーケンス図である。
【図１２】充電システムの概略構成図である。
【図１３】トランシーバを介してウェアラブルコンピュータを人間に装着して使用する場合の例を示す説明図である。
【符号の説明】
【００６２】
１      携帯端末
１１    信号電極
１２    グランド電極
１３    コンピュータ
１４    トランシーバ
１５    充放電制御回路
１６    ２次電池
１７    受電コイル
１８    筐体
１９    スリット
２      開口部
３      充電機
３１    信号電極
３２    グランド電極
３７    送電コイル
３９    スリット
５      パソコン
【図１】
0004812808.tif 000002
【図２】
0004812808.tif 000003
【図３】
0004812808.tif 000004
【図４】
0004812808.tif 000005
【図５】
0004812808.tif 000006
【図６】
0004812808.tif 000007
【図７】
0004812808.tif 000008
【図８】
0004812808.tif 000009
【図９】
0004812808.tif 000010
【図１０】
0004812808.tif 000011
【図１１】
0004812808.tif 000012
【図１２】
0004812808.tif 000013
【図１３】
0004812808.tif 000014